(57)【特許請求の範囲】
【請求項１】
駐輪場における定期券等の駐輪場利用カード発行装置であって、当該利用カード記入項目を示す表と、該表に記入すべき、文字５０音表及び濁点文字、半濁点文字、常用小文字の各表と、数字表と、長音・コンマ等所定の記号表と、操作に必要な事項とを表示し、マウスによる選択入力機能を有するマンマシン・インタフェースを備えた駐輪場利用カード発行装置において、利用カード記入項目を記した表を表示する第１の画面と、カード利用者氏名欄にマウスポインタを移動してクリックすると、あいうえお表示の５０音かな文字表と、前記かな文字表に対応する濁点文字及び半濁点文字を記した表と、前記かな文字表に対応する常用小文字を記した表と、所定の記号を記した表及び操作に必要な事項を表示する第２の画面と、カード利用者の電話番号やカード整理番号等数字を記録すべき欄にマウスポインタを移動してクリックすると、数字を記した表と、所定の記号を記した表及び操作に必要な事項を表示する第３の画面とを形成し、上記第１の画面における所定の記入項目でマウスをクリックすることにより関係する第２又は第３の画面を第１の画面上に重ねて表示するようにした駐輪場利用カード発行装置。
【発明の詳細な説明】
【０００１】
【発明の属する技術分野】
本発明は、駐輪場の管理事務所に配備して、定期券等の利用カードを発行する駐輪場利用カード発行装置に係り、特に、高齢者によっても容易に操作でき、操作が容易で使用効率の良い駐輪場利用カード発行装置に関する。
【０００２】
【従来の技術】
近時、電車の駅前における通勤者・通学者の放置自転車による交通妨害の拡大を防止するために、駅前広場等に駐輪場を設ける例が増大している。
このような駐輪場においては、継続利用者を対象にして、登録利用者に会員証または定期券等の利用者用カード（以下カードと略称する）を発行して管理するようにしている。
従来の一般的なカード発行装置としては、所定の表示部を見ながら、かな文字キーや数字キーを備えたキーボードから、カード利用者の氏名とその電話番号等の関連データ、整理番号や有効期間等を打込むようにしている。
最近はＣＲＴまたは液晶を利用した画面に図６に示すような表示を図示し、マウスを使用してこの画面上にマウスポインタを移動させ、任意の位置でマウスをクリックすることによって、マウスポインタ位置の条件が実行され、あるいは、文字が記入されるように形成した駐輪場利用カード発行装置が利用されるようになって来ている。
図６において、Ａ欄部はカードに記録される利用者特定事項記入欄、Ｂ欄部は記入文字を示すかな文字表、Ｃ欄部は記入数字を示す数字表、Ｄ欄部は駐輪場利用カード発行装置に対する操作事項を並べた操作指令表である。
【０００３】
【発明が解決しようとする課題】
ところで、最近は高齢者が増加しているので、駐輪場の管理者にも高齢者を雇用する傾向にある。また、身体に不自由な箇所を有する人達の雇用も望まれている。
しかしながら、高齢者には、視力が低下する、手が震える等、肉体的機能低下を来す場合が見られる。そのために、上記した従来の駐輪場利用カード発行装置で、例えば、キーボード方式であると、確実速やかなキー操作が困難である。マウス方式の場合は、キーボード方式ほどではなくても、画面が見づらいとか、マウスを真っすぐに移動させることが困難である等、キーボード方式同様に確実速やかな操作が困難な場合が発生する。
特に、濁点文字等の記入には、画面上の濁点と半濁点の区別が困難である外、２回の操作が必要であったり、キーボード方式では小文字の場合に二つのキーを同時に押す必要のある場合もあるので、作業性を低下させる原因になっていた。そのために、雇用可能な人達の範囲を増やすことができる操作の容易な駐輪場利用カード発行装置の開発が望まれていた。
本発明は従来のものの上記課題（問題点）を解決するようにした高齢者でも操作が容易な低価格で構成できる駐輪場利用カード発行装置を提供することを目的とする。
【０００４】
【課題を解決するための手段】
本発明の駐輪場利用カード発行装置は、上記課題を解決するために、駐輪場における定期券等の駐輪場利用カード発行装置であって、当該利用カード記入項目を示す表と、該表に記入すべき、文字５０音表及び濁点文字、半濁点文字、常用小文字の各表と、数字表と、長音・コンマ等所定の記号表と、操作に必要な事項とを表示し、マウスによる選択入力機能を有するマンマシン・インタフェースを備えた駐輪場利用カード発行装置において、利用カード記入項目を記した表を表示する第１の画面と、カード利用者氏名欄にマウスポインタを移動してクリックすると、あいうえお表示の５０音かな文字表と、前記かな文字表に対応する濁点文字及び半濁点文字を記した表と、前記かな文字表に対応する常用小文字を記した表と、所定の記号を記した表及び操作に必要な事項を表示する第２の画面と、カード利用者の電話番号やカード整理番号等数字を記録すべき欄にマウスポインタを移動してクリックすると、数字を記した表と、所定の記号を記した表及び操作に必要な事項を表示する第３の画面とを形成し、上記第１の画面における所定の記入項目でマウスをクリックすることにより関係する第２又は第３の画面を第１の画面上に重ねて表示するようにした。
上記のように濁点文字や半濁点文字を直接表示するようにしたので、ほとんどすべての文字がマウス一回の操作で記入できる。特に、第１の画面の所定位置でマウスをクリックすることにより関係する第２又は第３の画面を第１の画面上に表示するようにすると各画面の表示が必要事項だけになり、各文字のサイズが大きくできるので、視力が低下した人にも容易に必要な事項を見つけることができるとともに、マウスポインタを目的の文字等に的中させやすくなった。
【０００５】
【発明の実施の形態】
以下、図示する実施の形態によって本発明を具体的に説明する。
図２は本発明に基づく駐輪場利用カード発行装置の回路構成の接続図を示している。
図２において、１は駐輪場利用カード発行装置の機能を実行するＣＰＵ、２はＣＰＵの実行管理をするオペレーテイングシステム用ソフトを記録する第１の記憶部、３はカード発行に必要なソフトや表に表示すべきデータ類を記録する第２の記憶部、４は作成されたカードに記入すべきデータと管理用に保管すべきデータを記録する第３の記憶部、７はマウスであって、夫々の機能はバスライン１０に接続されている。
また、５はカード発行機能、５ａは信号変換用のインタフェース、６は液晶またはＣＲＴで形成される表示部、６ａは信号変換用のインタフェースである。
即ち、詳細を後述する画面が表示されている表示部６上に現れるマウスポインタを移動し、任意の位置でクリックすると、そのマウスポインタ位置の画面表示が実行される。
【０００６】
上記は主要機能を示したものであって、各記憶部の番地指定機能、表示部の制御機能、カード発行機能の磁気記録機能を備えた場合の磁気記録機能、印刷やカード移送部を含む各種機構及び金銭に関連する機能類、発行カードの記録管理用フロッピ・ディスクへの記録やプリント機能等、本発明に直接関連のない機能類の図示説明は省略している。
また、上記の第１乃至第３の記憶部も、発明説明の便宜上形成した一例であって、使用マイクロコンピュータの構成に対応させて適切に記憶機能と必要な記録事項を対応させれば良いことは当然である。
【０００７】
第１の実施の形態：
本発明に基づく駐輪場利用カード発行装置におけるデータ入出力機能としての上記表示部６に表示される画面の第１の実施の形態を図１に示す。
図１において、Ａ欄部は、図２における第２の記憶部に記録されたカードに記録される利用者特定事項記入欄、Ｂ欄部は記入文字を示すかな文字表、Ｃ欄部は記入数字を示す数字表、Ｄ欄部は駐輪場利用カード発行装置に対する操作事項を並べた操作指令表で、最下欄の取消釦のほか、中間位置の発行釦も含む。
Ｂ欄部において、Ｂ１欄はかな文字をアイウエオ５０音順に並べ、ヰ、ヱのような一般に使用されない文字を省略し、替わりに、ンと長音記号を設けた標準文字表であり、Ｂ２欄は、促音の記入等に使用する小文字をＢ１欄に準じて整列作成し、Ｂ３欄は、濁音文字をＢ１欄に準じて整列作成し、Ｂ４欄は、半濁音文字をＢ１欄に準じて整列作成している。
【０００８】
Ｃ欄部は、数字とマウス操作に必要な、例えば、記入文字位置のシフト用指示スイッチ位置を整列している。
上記した各欄の表示データは図２に示した第２の記憶部３に予め記録されている。
マウス７の操作によって読み出された利用者の氏名等は第３の記憶部４に記録され、さらに、カード記入が完了すると発行位置にマウス７を操作することによってカード発行機能５が作動してカードが発行される。
このような発行データはさらに、第３の記憶部４の所定番地に記録され、図示しないフロッピ・ディスク記録機能、印刷機能等の操作によって、フロッピ・ディスクに記録され、また、日報として所定用紙に印字される。
また、上記のカード発行機能５は必要と条件に応じて、収入金額の管理機能等、各駐輪場の管理機能と同一のマイクロコンピュータ装置に形成される。
【０００９】
第２の実施の形態：
本実施の形態は、図３乃至図５に示すように、第１の実施の形態における図１のＡ欄部を主体にして第１の画面として表示部全体に拡大表示し、第１の画面上でのマウス操作によって、第１画面上に重ねてＢ欄部を主体にして第２の画面として拡大表示し、または、Ｃ欄部を主体にして第３の画面として拡大表示して、夫々の画面から、必要な文字または数字を選択記入ができるようにしたものである。
なお、図３には図示の都合上、拡大表示とせず、図１に示したＡ欄部を主体にしたカード発行に必要な事項を１画面に形成した第１の画面ＡＴを示している。
【００１０】
図３において、例えば、カード利用者氏名欄にマウスポインタを移動してクリックすると、図４に示すような図１のＢ欄部に示した濁点文字、半濁点文字、小文字を含んだ、かな文字表及び、確定した記入文字の記録指示、記入文字位置を移動させる位置移動指示等、カード利用者氏名記入に必要なスイッチ機能が表示された第２の画面ＢＴが第１の画面ＡＴの上に表示され、例えば、記入文字の記録指示等所定の操作によって第２の画面ＢＴは消去される。
また、図３において、例えば、カード利用者の電話番号やカード整理番号等数字を記録すべき欄にマウスポインタを移動してクリックすると、図５に示すような図１のＣ欄部に示した数字表及び、確定した記入文字の記録指示、記入文字位置を移動させる位置移動指示等、カード利用者氏名記入に必要なスイッチ機能が表示された第３の画面ＣＴが第１の画面ＡＴの上に表示され、例えば、記入文字の記録指示等所定の操作によって第３の画面ＣＴは消去される。
従って、カ−ド発行担当者が、カード発行装置を操作すると、まず、第１の画面ＡＴが現れ、その操作に従って、第２の画面ＢＴまたは第３の画面ＣＴが現れ、予め設定した操作によって第１の画面ＡＴにもどる。
【００１１】
上記した各欄の記録事項は記録指示によって図２に示した第３の記憶部４に記録され、カード記入が完了すると第１画面の発行位置にマウス７を操作することによって第１の実施の形態と同様にカード発行機能５が作動してカードが発行される。
このような発行データはさらに、第３の記憶部４の所定番地に記録され、図示しないフロッピ・ディスク記録機能、印刷機能等の操作によって、フロッピ・ディスクに記録され、また、日報として所定用紙に印字される。
上記の各画面に関するデータは予め第２の記憶部３に記録されている。
【００１２】
本発明は以上述べた実施の形態に限定されるものではなく、各画面の構成や表示事項等は、その駐輪場の管理条件に対応して構成すれば良い。また、印字文字を示す表はカナで示したが、ひらがなで示すようにしても良いことは当然であるし、表の作成形態も図１乃至図５に示した画面に限定されるものではないことも当然である。
カード発行データ管理機能や入金管理機能等は、上記の記載にこだわらず、その駐輪場管理システムに対応して、本発明に基づくカード発行機能と適切に合成すれば良いことも当然である。
【００１３】
【発明の効果】
本発明に基づく駐輪場利用カード発行装置は、上記のように構成され、また運用されるから、下記のような優れた効果が存在する。
▲１▼タッチ操作ではなく、マウス操作にしたので、カード作成作業が容易である。▲２▼濁点を付した文字や半濁点を付した文字を直接表示するようにしたので、従来のような文字の選択と濁点の指定のような２回の操作が必要なくなり、氏名等必要な言葉の作成が容易である。
▲３▼小文字も直接表示するようにしたので、キーボード入力の場合のように同時に二つのキーを操作する必要がなくなり、氏名等必要な言葉の作成が容易である。▲４▼濁点を付した文字等、特殊な文字を見やすい表に並べたので、文字の選定が容易である。
▲５▼基本画面と文字画面、数字画面を分割し、基本画面の上に大きく文字画面や数字画面を表示するようにした場合は、画面を大きく形成できて見やすくなり、必要欄や文字の選択が容易になった。
▲６▼基本画面と文字画面、数字画面を分割し、基本画面の上に大きく文字画面や数字画面を表示するようにした場合は、画面を大きく形成でき、マウス操作が容易になったので、必要欄や文字の選択が容易になった。
▲７▼上記の結果、高齢者のような、視覚の若干落ちる人、手が震える人等にも容易に操作ができる。
▲８▼上記の結果、高齢者等の雇用率が向上される。
【図面の簡単な説明】
【図１】本発明を適用した駐輪場利用カード発行装置の第１の実施の形態を説明する表示画面例図である。
【図２】本発明を適用した駐輪場利用カード発行装置を実現する回路構成を示す接続図である。
【図３】本発明を適用した駐輪場利用カード発行装置の第２の実施の形態を説明する第１の表示画面例図である。
【図４】図３に示す第１の画面上に第２の画面が表示される表示画面例図である。
【図５】図３に示す第１の画面上に第３の画面が表示される表示画面例図である。
【図６】従来の駐輪場利用カード発行装置を説明する表示画面例図である。
【符号の説明】
１：ＣＰＵ
２、３、４：記憶部
５：カード発行機能
６：表示部
７：マウス
Ａ：利用者特定事項記入欄
Ｂ：文字表
Ｃ：数字表
Ｄ：操作指令表
【図１】
0003864505.tif 000002
【図２】
0003864505.tif 000003
【図３】
0003864505.tif 000004
【図４】
0003864505.tif 000005
【図５】
0003864505.tif 000006
【図６】
0003864505.tif 000007